(57)【要約】第１電流パルスにより重畳されたランプ電流を有する高圧ガス放電ランプを動作させる方法であって、特に、カラー（原色）セグメント及び可能な白色セグメントの時系列生成のためのシステムにおいて、それらのセグメントから表示されるべき画像が同期化され、システムにおいて、画像の色及び／又は輝度特性を変化させる又は補正するように、第１電流パルスは、カラーセグメント及び／又は白色セグメントの生成に関連してパルスの振幅及び／又は時間的長さ及び／又は時間的位置を調節される、方法及び回路構成について開示している。その回路構成を有する投射システムについても開示している。
2008538008.tif 000002
【特許請求の範囲】
【請求項１】
第１電流パルスにより重畳されたランプ電流を有する高圧ガス放電ランプを動作させる方法であって、特に、カラー（原色）セグメント及び可能な白色セグメントの時系列生成のためのシステムにおいて、それらのセグメントから表示されるべき画像が同期化され、前記システムにおいて、前記画像の色及び／又は輝度特性を変化させる又は補正するように、前記第１電流パルスは、カラーセグメント及び／又は白色セグメントの生成に関連して前記パルスの振幅及び／又は時間的長さ及び／又は時間的位置を調節される、方法。
【請求項２】
請求項１に記載の方法であって、前記ランプ電流は交流電流であり、各々の場合に変化されるべき期間と同じ極性を有するように、交流ランプ電流の極性における変化に先立って、前記第１電流パルスが生成され、前記第１電流パルスの  時間的位置は前記交流ランプ電流の位相をシフトさせることにより調整される、方法。
【請求項３】
請求項１に記載の方法であって、前記画像の色及び／又は輝度特性を変化させる又は補正するように、少なくとも１つのカラーセグメント及び／又は白色セグメントの生成中に、少なくとも１つの第２電流パルスが生成され、前記ランプ電流に重畳される、方法。
【請求項４】
請求項３に記載の方法であって、前記第２電流パルスの前記生成は、前記カラーセグメント及び／又は白色セグメントの生成に関連して前記パルスの極性及び／又は振幅及び／又は時間的長さ及び／又は時間的位置における変化を有する、方法。
【請求項５】
請求項１に記載の方法であって、特にＬＣｏＳシステムにおいて、前記第１電流パルスの前記時間的位置は本質的に一定に保たれ、前記表示画像の前記色及び／又は輝度特性の変化又は補正が、前記カラーセグメント及び／又は白色セグメントの前記生成に関連して前記第１電流パルスの前記振幅及び／又は前記時間的長さを調整することにより行われる、方法。
【請求項６】
請求項１に記載の方法であって、比較的高い色飽和を有する画像を表示するために第１動作モードを有する方法であり、前記ランプ電流の現極性に比較して、負の振幅を有する第２電流パルスは、少なくとも１つの白色セグメントの間に前記ランプ電流に重畳される、方法。
【請求項７】
請求項１に記載の方法であって、比較的高い輝度を有する画像を表示するために第１動作モードを有する方法であり、第１電流パルスは、少なくとも１つの白色セグメントの間に前記ランプ電流に重畳される、方法。
【請求項８】
請求項６又は７に記載の方法であって、前記第１動作モードと前記第２動作モードとの間の切り換えは、現在の画像の検出された色飽和及び／又は輝度のレベルの関数として自動的に行われる、方法。
【請求項９】
請求項１乃至８の何れ一項に記載の方法にしたがった、少なくとも１つの高圧ガス放電ランプを動作させるための回路構成。
【請求項１０】
カラー（原色）セグメント及び可能な白色セグメントの時系列生成のための、画像又はデータを表示するための投射システムであって、特にＤＬＰ（登録商標）又はＬＣｏＳシステムのようなシステムにおいて、それらのセグメントから表示されるべき画像が同期化される、システムであり、少なくとも１つの高圧ガス放電ランプ及び請求項９に記載の回路構成を有する、システム。
【発明の詳細な説明】
【技術分野】
【０００１】
本発明は、第１電流パルスにより重畳されたランプパルスを有する高圧ガス放電ランプ（ＨＩＤランプ又はＵＨＰ（超高性能）ランプ）を動作させるための方法及び回路構成に関し、特に、原色セグメント及び可能な白色セグメントの時系列生成のためのシステムであって、特に、例えば、ＤＬＰ（デジタルライトプロセッシング）（登録商標）システム又はＬＣｏＳ（Ｌｉｑｕｉｄ  Ｃｒｙｓｔａｌ  ｏｎ  Ｓｉｌｉｃｏｎ）システムにおけるような原色画像の時系列表示を有する投射ディスプレイを照明するための、システムに関する。
【背景技術】
【０００２】
投射システムにおいて用いられる光源は、通常、１つ又はそれ以上の高圧ガス放電ランプ（ＨＩＤランプ又はＵＨＰ（超高性能）ランプ）である。それらのランプは、原理的に、直流電流及び交流電流の両方により動作することが可能である。しかしながら、通常、交流電流による動作は、それが急速な電極の腐食を抑制し、ランプの効率を向上させるために好ましい。
【０００３】
しかしながら、特に、交流電流による動作の場合、不安定なアーク放電のリスクはまた、極性変化により増加し、それらのアーク放電はまた、出力光電流のフリッカに繋がる可能性がある。このことは、アーク放電は電極表面の温度と状態とに依存し、更に、電極の温度の時間的経過は、電極が陽極及び陰極として機能する位相の点で異なる。このことはまた、電極温度が、ランプ電流の一周期中に著しく変化することに繋がる。それらの変動に好適に影響するように、変化される半周期と同じ極性を有する（第１）電流パルスが、ランプ電流の各々の半周期の終端で、即ち、極性の変化に先立って生成され、そして、この電流パルスは、全体の電流が増加し且つ電極温度が高く成るように、ランプ電流に重畳される。その結果、アーク放電の安定性は著しく改善されることが可能である。
【０００４】
それらの第１電流パルスは、また、対応する増加したパルス化光電流を生じさせる、多かれ少なかれ顕著なパルス化成分を有する交流ランプ電流により動作されるランプに繋がる。
【０００５】
特に、時系列カラー表示方法により動作されるカラー投射ディスプレイにおいては、出力光電流における変動は、原色画像の一が他の原色カラー画像と異なる輝度で表示されるときに、破壊的な影響を有する可能性がある。
【０００６】
そのような時系列カラー表示方法においては、三原色（“時系列カラー”）の一、即ち、青色、緑色及び赤色における各々の場合の少なくとも３つの成分画像並びに可能な第４の白色画像（白色セグメント）を時系列表示することにより、カラー画像が生成される。この方法は、今日、例えば、（１つのカラーホイールにより動作する）殆どのＤＬＰ（デジタルライトプロセッシング）（登録商標）投写器において用いられ、将来はまた、ＬＣｏＳシステムであって、原色による表示の時系列照明のために、現在、プリズムが、将来、ドラム状配列が用いられる、ＬＣｏＳシステムにおいて用いられることが可能である。
【０００７】
第１電流パルスによりもたらされる光電流における増加が表示画像におけるカラーシフトに繋がることを回避するために、第１電流パルスが常に第４の白色画像において生じるような方式で、欧州特許第１１５４６５２号明細書に記載されているように、電流パルス生成及びカラー変調は、通常、互いに同期される。
【０００８】
ランプの動作及びランプドライバの技術的回路デザインのために、第１電流パルスの振幅の絶対値（平均ランプ電流に比べて、相対的レベルにない）は、更に、できるだけ一定に設定され且つ維持されるようになっている。しかしながら、動作電圧は、多くの場合、ランプの寿命の間に増加する（又は、減少する可能性がある）ため、第１電流パルスの振幅と平均電流との比は益々増加するようになる。このことはまた、全体の画像において白色光の成分が益々多くなり、それ故、色飽和は益々低くなる。この影響については、電流レベルを測定し、且つ補正を計算することにより補償することが可能であるが、これは、ランプが古くなるにつれて、画像の輝度が著しく減少する（特定のランプにおいて、動作電圧は寿命の経過において動作電圧が降下する場合、反対の影響が生じる）ことを意味する。
【特許文献１】欧州特許第１１５４６５２号明細書
【発明の開示】
【発明が解決しようとする課題】
【０００９】
本発明の目的は、それ故、高圧ガス放電ランプを動作させるための方法及び回路構成であって、それらにより、上記の問題点は、少なくとも大部分が回避され、表示画像の少なくとも実質的に一定のカラー及び／又は輝度特性が、ランプの寿命中、達成される、方法及び回路構成を提供することである。
【００１０】
更に、本発明の目的はまた、高圧ガス放電ランプを動作させるための方法及び回路構成であって、それらにより、既知の方法及び回路構成に比べて、著しく良好な色バランスが達成され、このような色バランスは、少なくともランプの全寿命中の大部分におい維持される、方法及び回路構成を提供することである。
【００１１】
本発明の目的はまた、高圧ガス放電ランプを動作させるための方法及び回路構成であって、それらにより、カラー及び／又は輝度特性の変化、調節又は補正、特に、画像の色温度が、光の著しい損失を伴わずに実行される、方法及び回路構成を提供することである。
【００１２】
本発明の目的はまた、高圧ガス放電ランプを動作させるための方法及び回路構成であって、それらにより、表示画像の色飽和及び／又は輝度が、例えば、所望の、特に高色飽和が第１動作モード（例えば、映像動作）において得られ、そして所望の、特に高輝度が第２動作モード（例えば、提示目的で）において得られるような方法で、投射ディスプレイを照明するように、現在の画像コンテンツの色飽和及び／又は輝度に、特に、自動的に調節される、方法及び回路構成を提供することである。
【課題を解決するための手段】
【００１３】
それらの目的は、特に、原色セグメント及び可能な白色セグメントの時系列生成のためのシステムにおいて、第１電流パルスにより重畳されたランプ電流を有する高圧ガス放電ランプを動作させる方法であって、それにおいて、画像の色及び／又は輝度特性を変化させる又は補正するように、第１電流パルスが、カラーセグメント及び／又は白色セグメントの生成に関連して振幅及び／又は時間的長さ及び／又は時間的一（位相）に関して調節される、方法により、請求項１に記載されているように達成される。
【００１４】
この目的は、請求項９に記載の回路構成により更に達成される。
【００１５】
ここで、制御可能なデューティサイクルを有する電流パルスを有するナトリウム高圧ガス放電ランプを動作させるために用いられる回路構成については、米国特許第５，２６２，７０１号明細書に記載されていることを述べておかなければならない。しかしながら、この回路構成は、照明を落としたランプの動作について、与えられ、その構成において、デューティサイクルを変化させることにより、ランプに供給される電力の変化が起こり、同時に、生成される光の特定の色温度が達成される又は達していないと言われる。しかしながら、ランプにより出射された光の色温度の影響及び照明を落とした動作は本発明の主題を構成するものではないため、前記特許文献は関連があるとはみなされない。
【００１６】
本発明にしたがった解決方法の特別な有利点は、ランプ電流が直流電流及び交流電流の両方であることが可能であることである。更に、色温度及び／又は画像輝度は、何れの損失を伴わずに、即ち、著しい光の損失を伴わずに、大部分が設定される又は調節されることができ、それ故、高効率及び高輝度出力が、パルスか又はランプ電流により達成される。最終的には、それらのパルスにより重畳されたランプ電流は、時系列表示システムにおいて簡単な方法で生成されることができ、必要に応じて、白色セグメントを用いない。
【００１７】
従属請求項は、本発明の有利な実施形態を有する。
【００１８】
請求項２に記載の実施形態は、ランプ電流が交流電流である場合に提供される。
【００１９】
請求項３及び４に記載の実施形態により、表示画像の色及び輝度特性の更なる最適化が可能である。
【００２０】
請求項５に記載の実施形態は、ＬＣｏＳシステムのために特に有利に用いられる。
【００２１】
請求項６に記載の実施形態は、関連投射システムの映像モードについて特に有利であり、請求項７に記載の実施形態は提示目的のために特に適する。
【００２２】
請求項８に記載の実施形態により、請求項６及び７に記載の動作モード間の自動切り替え、及びそれ故の現在の画像コンテンツに対する表示画像の色及び／又は輝度特性の動的適合が可能である。
【００２３】
本発明については、以下、図に示している実施形態の例を参照して詳述するが、それらに限定されるものではない。
【発明を実施するための最良の形態】
【００２４】
以下、ランプは、本質的に方形波交流電流により動作されることが前提である。しかしながら、前記電流パルスはまた、直流電流に重畳されることが可能であり、それ故、本発明の原理はまた、この場合に適用することができる。
【００２５】
本発明の第１実施形態においては、変化される位相又は周期と同じ極性を有する極性変化に先立って、交流ランプ電流に重畳される第１電流パルスは、画像の色及び／又は輝度特性が補正される、若しくは、所望の色温度、最適な色バランス又は特に明るい画像を得るような方式で、例えば、現在の動作電圧（ランプの寿命に亘って変化する）及び／又は所望のランプの動作モードのような特定のパラメータの関数として、カラーセグメント又は（原）色及び可能な白色セグメントにおいて、時間的にシフトされる。これは、通常、カラーセグメント及び白色セグメントのシーケンスに対して交流ランプ電流の位相における対応するシフトよりもたらされる。
【００２６】
第２実施形態においては、付加的に又は代替として、第１電流パルスの時間的な長さ（持続時間）は変化し、それ故、上記目的のために、前記パルスは、隣接カラー又は白色セグメントに少なくとも一部が伸び、並びに／若しくは、それらの変化した持続時間のために、関連カラー又は白色セグメントにおける対応して変化する光強度を生成する。
【００２７】
対照的に、電流パルスのレベル（振幅）は、好適には、特にランプの最適な寿命に関する特定の値に設定され又は限定され、少なくとも実質的に一定に保たれる。しかしながら、第１電流パルスの振幅はまた、表示画像の色及び／又は輝度特性に影響するパラメータとして、少なくとも僅かに変化する。
【００２８】
最終的に、第３実施形態において、上記第１電流パルスに付加して又はその代替として、１つ又はそれ以上の付加的な第２電流パルスＫ（以下、補償パルスという）が、この場合、例えば、色温度を改善するように、損失なく殆ど完全にその色温度を調節するように、若しくは、画像コンテンツに対して所望の方法で色飽和及び／又は画像輝度を適合させるように、１つ又はそれ以上の他のカラーセグメント及び／又は可能な白色セグメントにおけるランプ電流に重畳される。
【００２９】
それらの第２電流パルスはまた、カラーセグメント及び／又は白色セグメントの生成に対する及び／又は可能な極性に関する、それらパルスのパラメータ、例えば、特に、それらの振幅及び／又はそれらの時間的長さ及び／又はそれらの時間的位置に関して調節されることが可能である。
【００３０】
本発明について、先ず、図１に関連して、多くの実施例を参照して説明する。
【００３１】
例えば、１２０Ｗの及び比較的短いアークの典型的な高圧ガス放電ランプは、その入手したばかりの状態で、約５８Ｖの動作電圧を有する。この動作電圧について、本質的に方形波の交流ランプ電流の位相は、図１の第１電流経過に示すように、交流ランプ電流に重畳された第１電流パルスＳが、赤色セグメントＲ（赤色セグメント、赤色原色画像）に、各々の場合に本質的に殆ど存在するように、ディスプレイ又は投射システムのカラー変調器により生成された原色シーケンスに対してシフトされる。
【００３２】
比較的低いパワーを有する放電ランプは、特に通常、映像アプリケーションについて低過ぎる、生成された光における赤色成分を有するために、赤色セグメントＲは好ましい。
【００３３】
交流ランプ電流のプラトー値は、例えば、約２Ａである。第１電流パルスＳの好ましい振幅は、この場合、ランプの全寿命を通して約２．６Ａである。第１電流パルスＳの時間的長さ（持続時間）は、交流ランプ電流の半周期の持続時間の約６％である必要があるが、その時間的長さはまた、約２％と約１５％との間の範囲内で変化することが可能である。最長の有用な持続時間は、本質的には、画像の種類及び画像表示方法により決定される。
【００３４】
ランプの寿命の開始における最小の動作電圧について、第１電流パルスＳの持続時間は好適には、それ故、上限に、この場合は、約１５％に設定される。
【００３５】
以下、簡単化のために、例えば、カラーホイールにおけるカラーセグメントのようなカラー変調器の対応する変化のために、カラー温度の変化又は適合が存在しないことが前提にされるべきであるが、これは、勿論、除外されるべきでない。
【００３６】
それ故、第１電流パルスＳは完全に赤色セグメント内にあるため、それらの第１電流パルスは、色ずれを回避するように、時間に関して対応する短い方式で表示される又は投射される必要がある。３つのカラーセグメントＢ、Ｇ及びＲ全てについて等しい時間の期間（即ち、各々の場合、約３３％）が、所望の等しい３つの色強度の比１：１：１のための基本としてとられ、電流パルスＳのために、例えば、約３１．３％の赤色セグメントＲの持続時間、及び各々の場合に約３４．３％の緑色セグメントＧ及び青色セグメントＢの持続時間が、第１カラーパルスＳのための色ずれを回避するように設定されるようになっている。
【００３７】
動作電圧は、通常、ランプの寿命に亘って増加するが、第１電流パルスＳの絶対値及びランプパワーは、上記の理由のために少なくとも本質的に一定に維持されるようになっているため、第１電流パルスＳの相対的レベルは、対応する減少したランプ電流のために増加する。これはまた、表示画像の色バランスが赤色の方にシフトすることを意味する。
【００３８】
このことは、例えば、動作電圧をモニタすることにより回避され、そして、その値が増加する場合、各々の第１電流パルスの一部は、赤色成分が減少し且つ青色成分が増加するように、青色セグメントＢの方にシフトする。また、画像の緑色成分を対応して増加するように、付加的な比較的小さい第２電流パルス（補償パルス）Ｋが、緑色セグメントＧの間に、更に生成される。結果的に得られるランプの寿命の終了の方への全体的な電流経過について、図１の曲線２に示している。
【００３９】
量的な期間でみて、以下の数値が第２電流経過２について得られる。
【００４０】
寿命の終了の方へのランプの動作電圧は約１４０Ｖであり、電流のプラトー値は、それに応じて、約０．７Ａのみである。第１電流パルスＳの振幅は、約２．６Ａである。基本が、変化しない約３１．３％の赤色セグメントＲ並びに各々約３４．３％の緑色及び青色セグメントの時間的長さであることを前提とする場合、プラトー電流値（及びそれによりもたらされる画像における増加した赤色成分）に比べて、増加した第１電流パルスＳの相対的レベルを補償するように、パラメータの数を変えることができる。
【００４１】
上記のように、特に、第１電流パルスＳの時間的長さは、最大値約１５％から、例えば、約５．７％に短縮されることが可能である。更に、第１電流パルスＳの時間的位置は、各々の第１電流パルスＳの一部が隣接する５．７％の青色セグメントＢの方に伸び、約３．４％のみは赤色セグメントＲにあり、そして約２．３％は青色セグメントＢにある。第３パラメータとして、生成された光の緑色成分は、緑色のセグメントＧにおける交流ランプ電流の半周器の約２１．８％の時間的長さと約０．９％の電流振幅を有する上記の補償パルスＫにより対応して増加されることが可能である（図１における電流経過を参照されたい）。
【００４２】
色変調器が白色セグメントを生成する場合、補償パルスＫがまた、生成される、又は、緑色セグメントＧで生成された補償パルスＫは白色セグメントの方に部分的にシフトする。
【００４３】
それらのパラメータが選択され、それに対応して、個別に又は互いに組み合わされて調節される。
【００４４】
特に、第１パルスＳ及び第２電流パルスＫの振幅及び／又は時間的長さ及び／又は時間的位置及び可能な極性及びランプ電流におけるそれらの重畳に関して、第１及び第２電流パルスＳ、Ｋの上記のパラメータの調節は、ランプドライバに加えて、好適には、画像処理器に接続され、それに応じてプログラムされる制御ユニット有する回路構成により実行される。
【００４５】
図２は、表示画像の所望の色温度を得るように変化されるランプ電流経過を示している。色温度における増減は、例えば、図２の双方向矢印Ｐ１で示すように、それぞれの赤色セグメントＲから青色セグメントＢに又はその逆に、第１電流パルスＳの時間的位置をシフトさせることによりもたらされることが可能である。正しい白色ポイントが、この場合、双方向矢印Ｐ２により示されるように、緑色セグメントＧの間に、補償パルスＫの振幅及び／又は極性を調節することにより得られることが可能である。
【００４６】
色温度における変化はまた、代替として又は付加的に、第１電流パルスＳの時間的長さを変えることにより影響されることが可能である。
【００４７】
例えば、２つの切り換え可能な動作モードにおいて投射ディスプレイの照明に関連してランプ電流を生成するための回路構成を動作させることが更に可能である。第１動作モードは、生成される画像の映像表示のために機能し、その第１動作モードにおいて、できるだけ適切な色が表示されるようになっていて、強い色飽和が得られるようになっている一方、第２動作モードは、提示目的のために与えられ、その第２動作モードにおいては、できるだけ明るい画像が所望される。
【００４８】
この場合、例えば、図３に示すようなランプ電流が第１動作モードにおいて生成され、図４に示すようなランプ電流は第２動作モードにおいて生成される。
【００４９】
図３に示す第１動作モードにおいては、色温度が、図２に関連して上記したように、赤色セグメントＲと青色セグメントＢとの間で第１電流パルスＳを適切にシフトすることにより、もう一度適合される。
【００５０】
第１動作モードにおいて特に良好な色飽和を得るように、ランプ電流は、交流ランプ電流の１つ又は両方の半周期の白色セグメントＷの間に、矢印Ｐ１で示す負の第１補償パルスＫ１の形で更に減少されることが可能である。
【００５１】
最終的には、矢印Ｐ２で示すように、必要に応じて、緑色の光成分を増減するように、それ故、所望の色バランスをもたらすように、第２補償パルスＫ２が、調節可能な正又は負極性及び／又は時間的長さを有する緑色セグメントＧにおいて生成されることが可能である。
【００５２】
図４に示す第２動作モードにおいては、第１電流パルスＳは、白色セグメントＷに本質的に全体的に存在し、それ故、画像は比較的高輝度を有する。この場合、カラー特徴の何れの必要な補正が、上記のようなカラーセグメントＲ、Ｇ、Ｂの一において少なくとも１つの補償パルスＫにより影響を受けることが可能である。
【００５３】
本発明の更なる実施形態においては、時間的位置及び／又は時間的長さ及び／又は振幅及び／又は第１及び／又は第２電流パルス（補償パルス）Ｓ、Ｋの可能な極性は、表示画像コンテンツの関数として動的に調節される又は適合される。これは、例えば、映像モードにおいては、画像が比較的高い輝度を有し、それと交互に、画像が比較的高い色飽和を有するときに有用である。それ故、表示を最適化するように、特定の明るい画像についての第２動作モード及び他の画像についての第１動作モードに対して、切り換えが自動的になされる。第１動作モードと第２動作モードとの間の切り換えは、適切なセンサ信号又は画像処理器からの信号によりアクティブにされることが可能である。
【００５４】
赤色セグメントＲから青色セグメントＢへの第１電流パルスＳのシフトのために、ランプの寿命に亘って、必要な補償パルスＫが緑色セグメントＧにおいて大きくなり過ぎないようにするように、寿命の開始時に、負の補償パルスＫが緑色セグメントＧにあり、寿命に亘って、それらの補償パルスは略ゼロ値に戻り、寿命の終了の方には比較的ほんの小さい正の値に増加するような方式で、ランプ電流が生成されることが可能である。
【００５５】
上記のＬＣｏＳシステムに関連して、本発明の例示するように、更なる複数の実施例について説明する。
【００５６】
この場合、上記実施形態におけるように、第１電流パルスＳの振幅は、少なくとも実質的に一定に保たれ、例えば、３．７Ａである。２００Ｗのランプパワー及び約１１５Ｖの動作電圧のためには、約１．７４Ａの平均ランプ電流が、約１．６３Ａのプラトー電流により得られる。このことにより、第１電流パルスＳと２．２６のプラトー電流のレベルとの間の相対比率ｐｐＲを得る。交流ランプ電流の半周期の５％の第１電流パルスの長さについては、これは、約６．３％の更なる光が第１電流パルスのために生成され、そして、第１電流パルスＳ全体が赤色セグメントＲにある場合、約１９％の光の増加した赤色成分がもたらされる。
【００５７】
それ故、同じランプパワー（約２００Ｗ）に対して、例えば、動作電圧が、ランプの最初の１００時間等の動作時間の間に約７５Ｖ、減少した場合、このことは、約２．６７Ａの平均ランプ電流及び約２．５Ａのプラトー電流のレベルをもたらす。第１電流パルスＳの振幅とプラトー電流のレベルとの間の相対比率ｐｐＲは、それ故、約１．８４の値まで減少する。第１電流パルスＳにより付加的に生成された（少ない）光の量を補償するように、前記パルスの持続時間は、交流ランプ電流の半周期の約１３％の値まで延び、それ故、高動作電圧の場合と同じ付加的な光の強度と同じ強度が更に得られる。
【００５８】
それ故、ランプの寿命が延びる場合、動作電圧は再び増加し、第１電流パルスＳにより生成される付加的な光の量は少なくとも本質的に一定に保たれるように、第１電流パルスＳの持続時間はそれに応じて短縮される。図５は、動作電圧Ｕの関数として、そのような第１電流パルスＳの時間的持続時間ｔｐｘの経過を示している。
【００５９】
図６は、放電ランプ３１についての上記のランプ電流を生成するための回路構成及び投射システムの重要な構成要素の一実施形態の最終的な模式的ブロック図を示している。
【００６０】
例えば、約１００乃至２４０Ｖの交流電圧Ｕａｃがその回路構成の入力において存在し、その交流電圧は、上記の経過を有する交流ランプ電圧に変換される。
【００６１】
その回路構成は、整流段１０、パワー／電流調節器１１、電圧変換器１２、制御ユニット２０、イグニッション段３０を有する整流器及び画像処理器４０を有し、ここで、画像生成のための映像／グラフィック信号Ｖは画像処理器に存在している。
【００６２】
交流電圧Ｕａｃは、整流段１０により直流電圧に変換される。この直流電圧から、関連放電ランプ３１のために適切な電流レベルを有する直流電流がパワー／電流調節器１１により生成され、前記直流電流は、上記第１パルスＳ及び第２電流パルスＫにより重畳される。このために、パワー／電流調節器１１は制御ユニット２０により適切に制御される。
【００６３】
生成された直流電流は、制御ユニット２０により制御された周波数及び位相を有する本質的に方形波の交流ランプ電流に整流器３０により変換される。
【００６４】
整流段１０により供給される電圧変換器１２は、パワー／電流調節器１１にパワーを供給するように機能する。
【００６５】
投射システムは、本質的に、放電ランプ３１、オプティカルインテグレータ３２、色変調器３３、ディスプレイ３４及びレンズ系３５を有する。色変調器３３及びディスプレイ３４は、後の方で存在する映像／グラフィック信号Ｖの関数として画像処理器４０により既知の方法で動作される。
【００６６】
制御ユニット２０及び画像処理器４０は、通信リンクを介して互いに接続され、同期化され、パワー／電流調節器１１による第１及び第２電流パルスの生成並びに転流器３０による直流電流の転流が、上記の方式でカラーセグメント及び白色セグメントの生成に対する時間的関係で起こるような方法でデザインされている。
【００６７】
制御ユニット２０及び／又は画像処理器４０は、振幅及び／又は時間的長さ及び／又は上記の表示画像の色及び／又は輝度特性が得られる又は補正されるように、第１及び第２電流パルスＳ、Ｋの可能な極性を変化させるように更に機能する。制御ユニット２０及び画像処理器４０は、この目的のために適切にプログラムされ、例えば、図５に示しているように、ランプの動作電圧Ｕの関数として第１電流パルスＳの時間的持続時間を記憶するメモリを備えている。
【図面の簡単な説明】
【００６８】
【図１】経時変化におけるランプのランプ電流の本発明にしたがった時間的経過を示す図である。
【図２】表示画像の色温度を調節するためのランプ電流の本発明にしたがった時間的経過を示す図である。
【図３】第１動作モードについてのランプ電流の本発明にしたがった時間的経過を示す図である。
【図４】第２動作モードについてのランプ電流の本発明にしたがった時間的経過を示す図である。
【図５】ランプの動作電圧の関数として第１電流パルスの時間的経過を示す図である。
【図６】高圧放電ランプを動作させるための回路構成の模式的ブロック図である。
【図１】
2008538008.tif 000003
【図２】
2008538008.tif 000004
【図３】
2008538008.tif 000005
【図４】
2008538008.tif 000006
【図５】
2008538008.tif 000007
【図６】
2008538008.tif 000008
【国際調査報告】
2008538008.tif 000009
2008538008.tif 000010
2008538008.tif 000011